(57)【特許請求の範囲】
【請求項１】
車道部上面舗装から連続する街渠底近くまでのエプロン舗装によって、段差や目地を被覆し自動車道路肩とＬ形通水断面街渠エプロンにまたがって自転車走行用アスファルト道路側帯を築造するプレキャストコンクリートＬ形ブロックであって、
車道面側端を主舗装止めとし、コ状開口付縁石をエプロンにあと付けしスリットで街渠底と直結する副水路を形成したＬ形ブロックで、通水断面内の渠底近くを上面舗装止めとするエプロン舗装厚さ分の切下げエプロンを街渠エプロン面と平行に設けてなり、
主舗装を前記主舗装止めによって固定し、Ｌ形通水断面の街渠とする基本構造を維持したまま前記上面舗装止めまで前記エプロン舗装を施し、車道部からエプロンへの構断勾配の急変化が無く、併せて渠底からスリットで直結する副水路により路面排水能力を補って自転車走行に適した道路側帯を構成することを特徴とする副水路付きＬ形街渠用ブロック。
【請求項２】
車道部上面舗装から連続する街渠底近くまでのエプロン舗装によって段差や目地を被覆し、自動車道路肩とＬ形通水断面街渠エプロンにまたがって自転車走行用透水アスファルト道路側帯を築造するプレキャストコンクリートＬ形ブロックであって、
車道面側端を主舗装止めとし、副水路が貫通したＬ形ブロックで通水断面内の渠底近くを上面舗装止めとするエプロン舗装厚さ分の切下げエプロンを街渠エプロン面と平行に設けてエプロン両端面に上面舗装止めから渠底下を横切って副水路とつなぐ流入口付きとしてなり、
主舗装を前記主舗装止めによって固定し、Ｌ形通水断面街渠の基本構造を維持したまま前記上面舗装止めまでの透水性前記エプロン舗装の浸透水が副水路へ流入し、車道部からエプロンへの横断勾配の急変化が無く、併せて渠底下から流入口で直結する副水路により浸透水排水能力を補って自転車走行に適した道路側帯を構成することを特徴とする副水路付きＬ形街渠用ブロック。
【発明の詳細な説明】
【技術分野】
【０００１】  本発明は、道路の車道側帯に使用し、Ｌ形排水部エプロンをアスファルト舗装の自転車走行用に形成するＬ形街渠用ブロックに関する。
【背景技術】
【０００２】  プレキャストコンクリートＬ形街渠用ブロックは側面をアスファルト舗装止とし、一般にエプロン幅２５ｃｍ〜５０ｃｍがＬ形状通水断面となる雨水排水施設を形成し、道路縦断勾配に沿って集水桝へ排水する。【０００３】  かまぼこ状断面の車道部は路肩がおおむね１．５％〜２％の横断勾配で街渠と接し、Ｌ形ブロックはエプロンが幅２５ｃｍ〜５０ｃｍ６％傾斜面の排水断面となっている。
近時、車道の側帯を自転車走行用とする必要が高まっているが、国が示す「安全で快適な自転車利用環境創出ガイドライン」では、自転車の安全性向上を図るため側溝などについて、エプロン幅が狭く自転車通行空間を広く確保できるものや平坦性の高いものへの置き換えや滑り止め加工をはじめ、側溝との舗装すりつけ等の段差等にも留意することとされていて、路肩の横断勾配とおおむね一致するエプロン２％で全体をアスファルト舗装とすることが求められる。
車道用舗装道路おいては、路肩端のエプロンに縁石部を加えた部分は排水施設に必要であり、この街渠構造を維持した上で自転車走行に適合する路面を形成することである。
【先行技術文献】
【０００４】
【特許文献１】  特開２０１４−６６０５７号公報
【発明の概要】
【発明が解決しようする課題】
【０００５】  Ｌ形ブロックによる街渠構造においては、車道部側端をアスファルト主舗装止めとする基本構造を維持したまま、エプロン面の一部も含めてアスファルト上面舗装とし併せて路肩とエプロンとの横断勾配の変化を緩和させるか又は無くすることにより自転車走行に適合させる。
この場合、エプロン部Ｌ形傾斜面が６％から２％に平坦化し、排水断面が減少しても排水能力の低下を補うことができるものとする。
【課題を解決するための手段】
【０００６】  前記課題を解決するため本発明のＬ形ブロックは、コ状開口縁石をエプロンにあと付けし、コ状開口とエプロン側面とで渠底にスリットで直結する副水路を形成するか、または縁石と一体でスリットが無く副水路のみ貫通する構造とし、エプロンは一般の街渠用と同じものからエプロン面を切下げ、上面舗装止め付きで切下げエプロン面を勾配２％とするもので、自転車走行用道路側帯はエプロン切下げ面に車道部から渠底近くの上面舗装止めまで連続する上面アスファルト舗装とするものである。
【０００７】  エプロン舗装は車道部の上面舗装をそのまま延長して、横断勾配を６％から車道路肩の１．５％〜２％に近づけた結果、Ｌ形街渠断面縮小で通水能力の低下があっても副水路で補うものである。
【０００８】  路盤面に直接設置するプレキャストコンクリート街渠Ｌ形ブロックはもっぱら道路縦断勾配によって集水桝へ排水するが、車道の上面を透水アスファルトとする排水性舗装の場合にはエプロンの上面舗装止めが透水アスファルト端となり端末隅角沿いに浸透水が集水ますへ排水されるほか街渠底下を横切って浸透水が流出口から副水路に流入し集水ますへ排水される。
【発明の効果】
【０００９】  Ｌ形ブロックによる主舗装止め端面のずれや段差およびＬ形ブロックの接合部目地が上面舗装に被覆され自転車走行に適した路側帯が形成される。
さらに車道部の横断勾配１．５％〜２％とエプロン部とは勾配可変によって急変化がなく自転車走行上の安全が高まる。
【００１０】  上面舗装がＬ形ブロックの連続布設による主舗装止め延長沿いおよび延長に直角のエプロン接続部への上載荷重を分散し、路側帯構造の安定が増し、さらに維持管理に適合した街渠となる。
【００１１】  渠底からスリットで直結する副水路により、街渠全体の排水能力低下が無く、また透水アスファルトによる排水性舗装の場合には浸透水がエプロン１個毎に副水路に流入し降雨時初期の排水も向上する。
【００１２】  本発明によるＬ形ブロックは、コ状開口縁石をエプロンのフーチングに載置組合せるか又は縁石と一体で副水路付きＬ形街渠とする。またエプロン切下げは上面舗装厚さ分切除してあるにすぎず、同断面の一般流通品との接続も差支えなく、さらに従来通りの製造工程のためコストアップがない。
【図面の簡単な説明】
【００１３】
【図１】  路盤面に直接設置し、アスファルト舗装の自転車走行用に形成した縁石をエプロンにあと付けする街渠用Ｌ形ブロックの実施例を示す切欠斜面図である。
【図２】  図１のＡ〜Ａ線にそった断面図である。
【図３】  図１の実施例における縁石とエプロンブロックの斜面図である。
【図４】  縁石とエプロンを一体とするＬ形ブロックの実施例を示す斜面図である。
【発明を実施するための形態】
【００１４】  Ｌ形ブロックは縁石と一体または縁石と組み合わせおおむねエプロン幅２５ｃｍ〜５０ｃｍ、渠底に向って２％傾斜の三角形状通水断面とする街渠を形成する。
車道の舗装止め部は主に厚さ１５ｃｍ、２０ｃｍ、２５ｃｍの３種類が用意され、縁石部とのＬ形断面で外圧荷重別に対応している。
長さは０．６ｍ、１ｍ、２ｍ等とするプレキャストコンクリートで供給され、道路縦断勾配に沿い基礎上に固定勾配施工で布設する。
横断車両乗入箇所は、縁石の高さを低くするため副水路上部を閉塞したスリットの無いエプロンと一体のＬ型ブロックを用いる。
本発明のＬ形ブロックは、エプロンを切下げ温存した渠底の近くに上面舗装止めが形成され、車道の上面舗装がそのままエプロン舗装として延長されるものである。
【００１５】  本発明のＬ形ブロックはアスファルト上面舗装厚さに対応し、おおむね５ｃｍの平行切下げエプロンを形成し、渠底近くの上面舗装止めまでエプロン舗装とするものであるため、Ｌ形ブロックを構成するエプロン自体の厚さは底面で調整する。
【００１６】  上面舗装が透水性の場合にはエプロン舗装の端末となる上面舗装止め沿いにエプロン１個毎に渠底下を横切る流出口から副水路へ浸透水が流入し、道路縦断勾配により集水ますへ排水する。
【００１７】  副水路は内幅５ｃｍ内高５ｃｍ以上、内底面高が上面舗装止め以下でＬ形通水断面部とスリットで直結し、街渠の排水能力を充足するが、維持管理と自転車走行安全上スリット幅を１ｃｍ〜２ｃｍとしている。
また、透水アスファルトによる排水性舗装においてはエプロン渠底下を横切る流出口から浸透水を副水路へ排出する。
【実施例】
【００１８】  図１に路盤面へ直接設置し、エプロンをアスファルト舗装の自転車走行用に形成した街渠用Ｌ形ブロックの実施例を示す。
図１の実施例は図２図３にも示すとおり縁石をエプロンにあと付けするＬ形ブロック（１）で、エプロン（２）を切下げ、上面舗装止め（７）までエプロン舗装（１０）とするスリット（１２）から直結する縁石内の副水路（２０）付き街渠施設である。
エプロン（２）は渠底近くに上面舗装止め（７）が長さ方向に連続する切下げエプロン（４）でフーチング付きの縁石を載置するＬ形ブロックである。
縁石（３）は腹部にコ状開口（５）付きでエプロン側面とでスリット（１２）付き副水路（２０）を形成する。
この実施例ではエプロン側面を凹状でパッキン（２５）付きとしている。【００１９】  エプロン（２）には図３に示す両端面に流出口（１３）があり、排水性舗装での浸透水がエプロン１個毎に渠底下を横切って副水路（２０）へ流入する。
スリット（１２）は街渠（１５）に沿い、副水路（２０）に直結するがこの実施例ではエプロン（２）のスリット入口をわずかに高く形成し、土砂の流入防止としている。
スリットは街渠（１５）に沿って、エンドレスに設けるほか適宜間隔で断続することも可能である（図示省略）。【００２０】  図４は縁石（３）とエプロン（２）を一体とするＬ形ブロック（１）の実施例である。
歩車道を横断する車両に対応し、縁石高の斜め切下げおよび低頭でスリットが無い。
エプロン（２）は街渠近くに上面舗装止め（７）が長さ方向に連続する切下げエプロン（４）付きで縁石（３）と一体の副水路が貫通するＬ形ブロック（１）を構成している。
なお車両横断のない一般用として縁石高さを維持し斜め切下げや低頭としない場合（図示省略）も同等である。
【産業上の利用可能性】
【００２１】  本発明のＬ形ブロックは、従来の一般流通街渠用Ｌ形製品にと同等に使用でき普及面での制約は生じない。
さらに、型枠も従来からの一般品を流用加工できるため、生産供給においても在来の道路用コンクリート製品と同等に安価に流通する。
【符号の説明】
【００２２】    １    Ｌ形ブロック
２    エプロン
３    縁石
４    切下げエプロン
５    コ状開口
６    主舗装止め
７    上面舗装止め
８    主舗装
９    上面舗装
１０    エプロン舗装
１１    水抜
１２    スリット
１３    流出口
１５    街渠
１６    路肩
１７    歩道
２０    副水路
２５    パッキン
３０    基礎材
３１    敷モルタル
【図１】
0006349485.tif 000002
【図２】
0006349485.tif 000003
【図３】
0006349485.tif 000004
【図４】
0006349485.tif 000005